(57)【要約】中空ブーム（30）用水分除去システムが開示されている。前記システムは前記ブームの下側壁にまたはそれに隣接して少なくとも一つの排出用開口部（38）を備えている。また、流体案内部（45）は前記開口部と関連付けされ、前記下側壁の内表面上の流体を前記開口部に案内し、それにより、該流体を前記ブームから排出することが可能になる。【選択図】図１２Ｃ
2005500228.tif 000002
【特許請求の範囲】
【請求項１】
中空ブーム用の水分除去システムであって、前記ブームの下側壁にまたは隣接する部分に少なくとも一つの排出用開口部を備えるとともに、前記下側壁上の流体を前記の少なくとも一つの開口部に案内して前記ブームの下側壁の内表面から流体を排出するための流体案内部を少なくとも一つ備えている、システム。
【請求項２】
前記ブームに沿って離間した位置に複数の排出用開口部を備えている、請求項１記載のシステム。
【請求項３】
前記開口部のうちの一部は前記下側壁に設けられており、前記開口部のうちの一部は前記下側壁に隣接して設けられている、請求項１または２記載のシステム。
【請求項４】
前記開口部は細長形状の穴または円形状の穴である、請求項１乃至３のいずれかに記載のシステム。
【請求項５】
前記流体案内部は前記下側壁に所定の形状で設けられている、請求項１乃至４のいずれかに記載のシステム。
【請求項６】
前記下側壁は凸形状を有してなる、請求項５記載のシステム。
【請求項７】
前記下側壁は凹形状を有してなる、請求項５記載のシステム。
【請求項８】
前記開口部は前記下側壁にあって、各凹形状は前記各開口部に関連している、請求項５記載のシステム。
【請求項９】
前記開口部は前記下側壁にあって、下側壁と前記ブームの１対の対向する側壁の各側壁との間の交差部に位置する、請求項６記載のシステム。
【請求項１０】
前記開口部は前記ブームの側壁に位置し、前記下側壁と前記ブームの１対の対向する側壁の各側壁との間の交差部に隣接している、請求項６記載のシステム。
【請求項１１】
前記開口部は前記ブームの側壁に位置し、前記側壁と前記ブームの前記下側壁との間の交差部に隣接している、請求項６記載のシステム。
【請求項１２】
前記開口部は前記下側壁に設けられ、前記流体案内部は、前記開口部に流体を案内するために前記下側壁の内表面上に流体案内用突起を上向きにすることによって設けられている、請求項５記載のシステム。
【請求項１３】
前記突起は前記下側壁を完全に横切って延びてなる、請求項１２記載のシステム。
【請求項１４】
前記突起は前記開口部に流体を案内するための堰を形成してなる、請求項１２または１３記載のシステム。
【請求項１５】
前記下側壁の外側表面に沿って液体が滴り落しないように前記開口部にまたは前記開口部の各々に関連する流出促進部を備えている、請求項１乃至１４のいずれかに記載のシステム。
【請求項１６】
前記流出促進部は前記開口部を超えて延びる先細の円筒突起を備えている、請求項１５記載のシステム。
【請求項１７】
前記流出促進部は前記開口部を超えて延びる先細の円筒突起を備えている、請求項１５記載のシステム。
【請求項１８】
前記流出促進部は前記開口部の周りに延びている切り込み部分を備えている、請求項１５記載のシステム。
【発明の詳細な説明】
【技術分野】
【０００１】
本発明は、ブームのための水分除去システムに関するものである。さらに詳細にいえば、本発明は、高架作業用プラットフォーム（ＥＷＰ）に用いられるブームのための水分除去システムに関するものである。
【背景技術】
【０００２】
一例として、本発明を高架作業用プラットフォームのブームとの関連において記載する。なお、本発明をＥＷＰにおいて用いられるブームとは異なるブームにも利用することができる。たとえば、本発明のシステムは、活線状態の高電圧電気ケーブルの近くで用いられうるブームを備えた、クレーン、組み立て回収装置（ＥＲＵ）、またはその他の装置に用いられうる。
【０００３】
ＥＷＰは、保守作業員が活線状態の導電体上でまたはそれに密に隣接して取り付け・修理作業を行えるようにするために利用される。この作業を電力の中断を必要とせずに行うために、前記導電体が活線状態のまま作業が行われる。ＥＷＰは複数のブームを備えており、最後のブームは、その一端に作業員用のバスケットを支えるように構成され、その他端が伸縮型またはナックル型のブームの最終段の端部に結合されている。
【０００４】
最後のブームおよび／または下側のブームが電気的に絶縁されるように構成されているため、バスケットは電気的に絶縁される。
【０００５】
ＥＷＰのなかには、低電圧および最大１３２ｋＶまたはそれ以上の電圧を通電している設備に作業をおこなえるように構成されているものもある。
【発明の開示】
【発明が解決しようとする課題】
【０００６】
通常、最後のブームは空洞構造を有している。高電圧が含まれる場所で雨天時にＥＰＷを使用するときは、連続した水膜を形成しないこと、または連続した水膜を最終ブームの内部を通ってまたはそれに沿って流れないようにすることが重要である。安全作業条件として、最後のブームの最大漏洩総電流は５ｍＡ（オーストラリア規格ＡＳ３８５９ガイドラインによる）を越えてはならない。この漏洩電流がこのレベルを越えると、活線の周辺においてＥＰＷを安全に使用できない。
【課題を解決するための手段】
【０００７】
本発明の一つの目的は、険悪な天候時におけるＥＷＰの使用を可能にし、安全作業最大漏洩電流を越えないことを担保するブーム用水分除去システムを提供することにある。
【０００８】
本発明の一つの態様では、中空ブーム用の水分除去システムが提供されている。かかるシステムは、そのブームの下側壁のまたはそれに隣接する少なくとも一つの排出用開口部を備えるとともに、下側壁上の流体を前記の少なくとも一つの開口部に案内してブームの下側壁の内表面から流体を排出するための流体案内部を備える。
【０００９】
複数の排出用開口部がブームの下側壁にまたはそれに隣接して設けられることが好ましい。これらの穴はブームに沿って離間した位置に配置される。その間隔は均一であっても不均一であってもよい。複数の開口部が設けられる場合、その開口部のすべてがブームの下側壁に設けられてもよく、またはそのすべてがその下側壁に隣接して設けられてもよい。このましくは、開口部の一部がブームの下側壁に設けられ、一部が下側壁に隣接して設けられてもよい。
【００１０】
前記開口部は任意の所望の形状に形成されてもよい。好ましくは、開口部は円形状の穴または細長形状の穴である。
【００１１】
流体案内部はブームの下側壁に任意の形状で設けられうる。たとえば、ブームの下側壁は凹形状を有することによりその壁に沿って延びるチャネルを形成しうる。このチャネルに排出用開口部が設けられてもよく、それにより、流体が当該開口部に凹形状部により案内され、よって、連続した流体ストリームがブームの下側壁の内表面に沿って延びて形成されることを回避することができる。下側壁の幅方向の中間点にチャネルを設けてもよいが、これに限定されるわけではない。
【００１２】
流体案内部は、内部側に凸形状を有する下側壁を形成することにより実現されうる。このような形状を利用する場合、ブームの側壁とブームの下側壁とが一致する位置にチャネルが並設される。排出用開口部は、下側壁のうちのその下側壁の対向縁部に沿って延びるチャネル内の部分に形成されてもよく、または側壁のうちの上記チャネルに隣接している部分に形成されてもよい。この凸形状部が下側壁の内表面上の流体を二つのチャネルに案内し、開口部がブームの内部からの流体の排出を可能にする。このようにして、連続した流体ストリームがブームの下側壁の内表面に沿って延びて形成されることを回避することができる。
【００１３】
他の実施例では、内壁にその壁を完全に横切って延びている少なくとも一つのウェルが設けられている。排出用開口部はそのウェルに存在しうる。好ましくは、その内壁に沿って離間した位置に複数のウェルが存在しており、各ウェルが排出用開口部を有している。
【００１４】
さら他の実施例では、前記流体案内部は、ブームの下側壁の内表面上に流体案内用突部を形成することにより設けられる。前記案内部は、下側壁を完全に横切って延び、下側壁の排出用開口部にまたは側壁のうちの下側壁に隣接している部分にある排出用開口部に流体を案内する。
【００１５】
排出用開口部が下側壁に形成される場合、ブームの下側壁の外表面に沿って流体が滴るのを防ぐために排出用開口部と協動する流出促進部を備えることが好ましい。
【発明を実施するための最良の形態】
【００１６】
図１Ａ〜図１Ｆは、本発明にかかる水分除去システムを組み込むブーム30のさまざまな図を例示したものである。ブーム30は、作業員用バスケットを取り付けうる遠位端31と、ブーム30が構成部品を形成するＥＷＰの隣接するブームに取り付けられうる近位端32とを備えている。ブーム30は、図１Ｂの縦断面図で示されているように中空である。その遠位端31には取り付けフランジ33が設けられており、この取り付けフランジ33の端部に作業員用バスケット（図示せず）が取り付けられる。
【００１７】
図１Ｆを参照すると、上記ブームは、上側壁34と、それに対向する下側壁35とを備える。ブームの中空構造は互いに対向する側壁36、37により完成される。下側壁35には複数の離間した排出用開口部38が設けられている。
【００１８】
近位端32には取り付け部材39が設けられており、この取り付け部材39の端部にＥＷＰの他のブームが取り付けられている。このブーム30はガラス強化ガラス繊維の如き電気的に絶縁な材料からなっている。
【００１９】
図２Ａから図２Ｄはブーム30の斜視図を示しており、ブーム30に対して排出用開口部38が設けられうる代替位置を例示している。図２Ａでは、開口部は、ブームの下側壁35内の当該ブームに沿って離間した位置に設けられている。図２Ｂでは、開口部38は、開口部の対として構成され、ブームの下側壁35内のブームの下側壁35に沿って離間した位置に設けられている。図２Ｃでは、開口部38は、ブームの下側壁35に沿って離間した位置に配置され、かつ相互に千鳥状に配置されている。図２Ｄでは、開口部38は、ブーム30の側壁36のうちの下側壁35に密に隣接した部分に設けられている。図２Ｄでは、開口部は、壁36に沿って離間した位置に配設されている。
【００２０】
図３Ａ、図３Ｂ、および図３Ｃは、排出用開口部が下側壁35に形成されているブーム30の一部を示している。下側壁35の内表面には流体案内部が設けられており、本実施例では、この流体案内部は凹形状部40から構成されている。この凹形状部がチャネル41を構成し、このチャネル41が流体を開口部38に案内する。これにより、その流体をブーム30内から排出することができる。
【００２１】
図４Ａ、図４Ｂ、および図４Ｃは、図３に示された水分除去システムに代わる別の水分除去システムを備えているブーム30の一部分を示している。図４では、流体案内部は、下側壁35の内表面から上方に延びる上向き突部42からなっている。この突部は十字形状の堰を形成し、この堰は、ブームの上側壁35の内表面を完全に横切って延び、ブームの側壁36、37の間を延びている。この突部42は、排出用開口部38上の領域で交差し、下側壁35の内表面上の流体を当該開口部38の方向に案内し、それにより、その流体を中空ブーム30内から排出することができる。
【００２２】
図５Ａ、図５Ｂ、および図５Ｃは、図４に例示されている水分除去システムに代わる別の水分除去システムを示している。図５では、流体案内部は、Ｖ形状のうねを鏡面対象に配置したリブ43から構成されており、これらのリブ43は、ブームの側壁36から側壁37まで延びている。鏡面対象に配置されるリブ43うちの一方のリブの頂部は他方のリブ43の頂部に密に隣接しており、各リブの頂部は排出用開口部38の近傍において互いに密に隣接している。このリブ43は、ブームの下側壁35の内表面上の流体を排出開口部38も方向に案内するように機能する。
【００２３】
図６Ａ、図６Ｂ、および図６Ｃは、図３Ａ、図３Ｂ、および図３Ｃに示されている水分除去システムに代わる別の水分除去システムを示している。図６では、下側壁35には、この下側壁の内表面上に形成されるかまたはそれにより与えられる凸のプロフィル（輪郭）をもった形態の流体案内部が設けられている。この凸形状部44により、ブーム30内に存在しうる流体が、側壁36、37と下側壁35との間の交差部の方向に案内される。図６の実施例では、排出開口部38は、下側壁35のうちの、側壁36、37と下側壁35との間の交差部に隣接する部分に設けられている。ブーム30の内部に入り、下側壁35の上側表面上に集まる流体は、いずれも、上記凸形状部44により開口部38の方向に案内される。
【００２４】
図７Ａ、図７Ｂ、および図７Ｃは、本発明の他の実施例にかかる水分除去システム備えているブームの一部分の図を例示している。この実施例では、ブームの下側壁35には複数の排出用開口部38が設けられている。下側壁35に凹形状部45を備える複数の流体案内部が設けられている。各凹形状部45は、下側壁の内表面を完全に横切り、側壁36から側壁37まで延びている。凹形状部45は排出用開口部38の各々と関連付けされている。凹形状部45は、下側壁35の内表面上に集まりうる流体を案内するように機能し、また、その流体をブーム30内から排出できるように開口部38にその流体を案内するように機能する。
【００２５】
図８、図９、図１０、および図１１はブーム30の一部分の図を例示している。これらの図ではさまざまな形状の排出用開口部が例示されている。図８では、排出用開口部は下側壁35を横切ってかつそれを貫通して延びる細長形状の穴38から構成される。図９では、排出用開口部38は下側壁35に対に配置されており、この各排出用開口部38は細長穴として形成されている。図１０では、排出用開口部は側壁37に細長穴として形成されており、この細長穴は、側壁37のうちの、下側壁35にその側壁が交差する領域に密に隣接する部分に形成されている。図１１では、排出用開口部38は円形状開口部として示されている。
【００２６】
図１２Ａ、図１２Ｂ、および図１２Ｃはブーム30の一部分の図を示している。これらの図では、流体案内部は、下側壁30の上側表面を凸形状に形成することにより実現されている。排出用開口部38はブームの側壁36、37に設けられており、凸形状部44は下側壁35の内表面上に集まりうる流体を、いずれも、開口部38の方向に案内し、この開口部38から、上記の流体がブーム30内から排出されうる。図１２Ａ、図１２Ｂ、および図１２Ｃに示された水分除去システムの代わりに、単に、ブームの一方の側壁から他方の側壁まで全体的に下側壁の内表面を傾かせてもよく、この下側壁35が傾いている方向の側壁に開口部38の如き開口部を形成してもよい。このような構成では、側壁のうちの一つに排出用開口部を形成するだけでよい。
【００２７】
図１３Ａ、図１３Ｂ、および図１３Ｃは、ブーム30の下側壁35の内表面上に配置される菱形状の突部45である流体案内部を示している。菱形状の突部45の各頂部は側壁36、37に隣接した位置にある。これらの側壁には排出用開口部38が設けられており、流体案内部35は、下側壁35の上側表面上に集まりうる流体を、いずれも、開口部38の方向に案内し、これらの開口部38から、その流体が中空ブーム35内から排出されうる。
【００２８】
図１４Ａ、図１４Ｂ、および図１４Ｃは、その他の図に示されている水分除去システムに代わる別の水分除去システムを示している。図１４Ａ、図１４Ｂ、および図１４Ｃでは、排出用開口部38（そのうちの一つのみが図示されている）は、下側壁35の側壁36、37と交差する領域に位置する。三角形状の流体案内部46は下側壁35の内表面上に配置されており、下側壁の上側表面上に集まりうる流体を開口部38の方向に案内するように機能し、これらの開口部38から、その流体がブーム35内から排出されうる。
【００２９】
図１５Ａ、図１５Ｂ、図１５Ｃ、および図１５Ｄは、本実施例において流体案内部42の一部として形成される流出促進部50の一つの実施例のさまざまな図を示している。この実施例では、流体案内部は二つの上向き突部42から構成されており、これら二つの上向き突部42は排出用開口部38の近傍において交差している。流出促進部50は流体案内部42から下方に延び、流出が起こりうる先の尖った形状を有する、寸法が次第に縮小される遠位端51においてその延びを終えている。
【００３０】
図１６Ａ、図１６Ｂ、および図１６Ｃは、本発明の水分除去システムに用いられうる流出促進部の代替構造を示している。この実施例では、排出開口部38には下方にかつ外側に突出する延部52が設けられている。この延部52は、流出促進部として機能し、この目的で外口部53を備えている。
【００３１】
図１７Ａ、図１７Ｂ、および図１７Ｃは、  図１５および図１６に示されている流出促進部に代わる別の流出促進部を示している。この実施例では、排出用開口部38には、流出を促進する先の尖った形状を開口部38の外口部55が有することを担保する切り込み入り流出促進部54が設けられている。
【００３２】
図１５、図１６、および図１７で例示されている流出促進部により、ブーム30の下側壁45の外側表面に沿って滴り落しない制御された方法で、流体が排出用開口部38を通って流出することが担保される。
【００３３】
図１８Ａは、本発明の実施例にかかる水分除去システムを組み込みうるブーム30の頂部斜視図である。図２０は、図１８Ａに示されているブームの底部斜視図を示しており、図１８Ｂはブーム30の端面図を示している。図１９Ａはブーム30の正面図を示しており、図１９ＢはＮＮ線に沿って切断されたブーム30の縦断面図を示している。これらの図では、ブームの上側壁34には、ブーム30の上側壁34に沿って少なくとも部分的に延びるキャップ60が設けられている。このキャップ60は、頂部61を有し、水分除去に供され、ブーム30の側壁36、37の方向に水分を案内する。キャップ60は、水ホースを通しうる空隙が設けられており、その間隙に水分が入りこむことがないことを担保するためにこのキャップの対向する端部の開放端には適切なシーラントが充填されうる。水分除去バンド62、63は、ブーム30の回りに延設されており、そのブームの長さ方向に離隔した位置に配置されているものとして示されている。これらのバンドにより、ブーム30の外側に集まるどのような水分であっても、そのブームの外側表面から除去されることが担保される。バンド62、63のうちのブームの下側壁35に沿って延びる部分は、その下側表面に沿った連続ストリームまたは連続トラックの形成を防止しない。
【００３４】
図２１Ａおよび図２１Ｂはバンド62、63の代替形状を示している。これらのバンドは、ブームと一体化構造として形成されてもよく、これに代えて、バンド62の如き個別のバンドとして形成されてもよい。この個別のバンドは、雨天のためＥＷＰを使用しない場合には、ブーム30から取り除きうる。
【図面の簡単な説明】
【００３５】
ここで、本発明の特に好ましい実施例を図面を参照にして記載する。
【図１Ａ】本発明にかかる水分除去システムを組み込みうるブームの平面図である。
【図１Ｂ】図１ＡのブームをＡＡ線に沿って見た断面図である。
【図１Ｃ】図１Ａに示されたブームの正面図である。
【図１Ｄ】図１Ａに示されたブームの斜視図である。
【図１Ｅ】図１Ａに示されたブームの端面図である。
【図１Ｆ】図１ＣのブームをＢＢ線に沿って見た断面図である。
【図２Ａ】本発明かかる水分除去システム排出用開口部が設けられうるさまざまな位置を示している、前記ブームの斜視図である。
【図２Ｂ】本発明かかる水分除去システム排出用開口部が設けられうるさまざまな位置を示している、前記ブームの斜視図である。
【図２Ｃ】本発明かかる水分除去システム排出用開口部が設けられうるさまざまな位置を示している、前記ブームの斜視図である。
【図２Ｄ】本発明かかる水分除去システム排出用開口部が設けられうるさまざまな位置を示している、前記ブームの斜視図である。
【図３Ａ】本発明の一つの実施例にかかる水分除去システム示している、ブームの一部分の横断面図、側面図、および斜視図である。
【図３Ｂ】本発明の一つの実施例にかかる水分除去システム示している、ブームの一部分の横断面図、側面図、および斜視図である。
【図３Ｃ】本発明の一つの実施例にかかる水分除去システム示している、ブームの一部分の横断面図、側面図、および斜視図である。
【図４Ａ】本発明の他の実施例にかかる水分除去システム示している、ブームの一部分の横断面図、正面図、および斜視図である。
【図４Ｂ】本発明の他の実施例にかかる水分除去システム示している、ブームの一部分の横断面図、正面図、および斜視図である。
【図４Ｃ】本発明の他の実施例にかかる水分除去システム示している、ブームの一部分の横断面図、正面図、および斜視図である。
【図５Ａ】本発明の他の実施例にかかる水分除去システム示している、ブームの一部分の横断面図、正面図、および斜視図である。
【図５Ｂ】本発明の他の実施例にかかる水分除去システム示している、ブームの一部分の横断面図、正面図、および斜視図である。
【図５Ｃ】本発明の他の実施例にかかる水分除去システム示している、ブームの一部分の横断面図、正面図、および斜視図である。
【図６Ａ】本発明の他の実施例にかかる水分除去システム示している、ブームの一部分の横断面図、正面図、および斜視図である。
【図６Ｂ】本発明の他の実施例にかかる水分除去システム示している、ブームの一部分の横断面図、正面図、および斜視図である。
【図６Ｃ】本発明の他の実施例にかかる水分除去システム示している、ブームの一部分の横断面図、正面図、および斜視図である。
【図７Ａ】本発明の他の実施例にかかる水分除去システム示している、ブームの一部分の横断面図、正面図、および斜視図である。
【図７Ｂ】本発明の他の実施例にかかる水分除去システム示している、ブームの一部分の横断面図、正面図、および斜視図である。
【図７Ｃ】本発明の他の実施例にかかる水分除去システム示している、ブームの一部分の横断面図、正面図、および斜視図である。
【図８】本発明の水分除去システムの一部分を形成するさまざまな代替排出用開口部を示している、ブームの一部分の斜視図である。
【図９】本発明の水分除去システムの一部分を形成するさまざまな代替排出用開口部を示している、ブームの一部分の斜視図である。
【図１０】本発明の水分除去システムの一部分を形成するさまざまな代替排出用開口部を示している、ブームの一部分の斜視図である。
【図１１】本発明の水分除去システムの一部分を形成するさまざまな代替排出用開口部を示している、ブームの一部分の斜視図である。
【図１２Ａ】本発明の一つの実施例にかかる水分除去システムを備えているブームの一部分の横断面図、正面図、および斜視図である。
【図１２Ｂ】本発明の一つの実施例にかかる水分除去システムを備えているブームの一部分の横断面図、正面図、および斜視図である。
【図１２Ｃ】本発明の一つの実施例にかかる水分除去システムを備えているブームの一部分の横断面図、正面図、および斜視図である。
【図１３Ａ】本発明の他の実施例にかかる水分除去システムを備えているブームの一部分の横断面図、正面図、および斜視図である。
【図１３Ｂ】本発明の他の実施例にかかる水分除去システムを備えているブームの一部分の横断面図、正面図、および斜視図である。
【図１３Ｃ】本発明の他の実施例にかかる水分除去システムを備えているブームの一部分の横断面図、正面図、および斜視図である。
【図１４Ａ】本発明の排出システムを示しているブームの一部分の横断面図、正面図、および斜視図である。
【図１４Ｂ】本発明の排出システムを示しているブームの一部分の横断面図、正面図、および斜視図である。
【図１４Ｃ】本発明の排出システムを示しているブームの一部分の横断面図、正面図、および斜視図である。
【図１５Ａ】本発明の一つの実施例にかかる流出促進部の平面図、横断面図、底部斜視図、および頂部斜視図である。
【図１５Ｂ】本発明の一つの実施例にかかる流出促進部の平面図、横断面図、底部斜視図、および頂部斜視図である。
【図１５Ｃ】本発明の一つの実施例にかかる流出促進部の平面図、横断面図、底部斜視図、および頂部斜視図である。
【図１６Ａ】本発明の他の実施例にかかる流出促進部の平面図、横断面図、および底部斜視図である。
【図１６Ｂ】本発明の他の実施例にかかる流出促進部の平面図、横断面図、および底部斜視図である。
【図１６Ｃ】本発明の他の実施例にかかる流出促進部の平面図、横断面図、および底部斜視図である。
【図１７Ａ】本発明の他の実施例にかかる流出促進部の平面図、横断面図、および底部斜視図である。
【図１７Ｂ】本発明の他の実施例にかかる流出促進部の平面図、横断面図、および底部斜視図である。
【図１７Ｃ】本発明の他の実施例にかかる流出促進部の平面図、横断面図、および底部斜視図である。
【図１８Ａ】本発明にかかる水分除去システムを備えているブームの斜視図および端面図である。
【図１８Ｂ】本発明にかかる水分除去システムを備えているブームの斜視図および端面図である。
【図１９Ａ】図１８Ａに示されているブームの正面図および縦断面図である。
【図１９Ｂ】図１８Ａに示されているブームの正面図および縦断面図である。
【図２０】図１８Ａに示されているブームの底部斜視図である。
【図２１Ａ】図１８、図１９、および図２０に示されている水分除去バンドの実現可能な横断面を示している断面図である。
【図２１Ｂ】図１８、図１９、および図２０に示されている水分除去バンドの実現可能な断面を示している断面図である。
【符号の説明】
【００３６】
30  ブーム
31  遠位端
32  近位端
33  フランジ
34  上側壁
35  下側壁
36、37  側壁
38  排出用開口部
39  取り付け部材
40  凹形状部
41  チャネル
42  上向き突部
43  リブ
44  凸形状部
45  凹形状部
46  流体案内部
50  流出促進部
52  延部
53  外口部
54  流出促進部
60  キャップ
61  頂部
62、63  水分除去バンド
【国際公開パンフレット】
2005500228.tif 000003
2005500228.tif 000004
2005500228.tif 000005
2005500228.tif 000006
2005500228.tif 000007
2005500228.tif 000008
2005500228.tif 000009
2005500228.tif 000010
2005500228.tif 000011
2005500228.tif 000012
2005500228.tif 000013
2005500228.tif 000014
2005500228.tif 000015
2005500228.tif 000016
2005500228.tif 000017
2005500228.tif 000018
2005500228.tif 000019
2005500228.tif 000020
2005500228.tif 000021
2005500228.tif 000022
2005500228.tif 000023
【国際調査報告】
2005500228.tif 000024
2005500228.tif 000025